(57)【要約】【目的】  キー操作が不要で、かつ、記録媒体のタイプに応じた媒体挿入／排出口が露出するまでパネルを開けるようにした「音響機器およびパネルスライド方法」を提供する。【構成】  前面のパネル１２をスライドさせて媒体挿入／排出口１６〜１８を露出させて記録媒体を挿入、排出する音響機器のパネルスライド方法であり、音響機器１１に近づけられた記録媒体２１〜２３のタイプを識別し、該タイプに応じた媒体挿入／排出口が露出するまで前面パネルをスライドさせる。【選択図】        図１
2005276382.tif 000002
【特許請求の範囲】
【請求項１】
前面パネルをスライドさせて媒体挿入／排出口を露出させて記録媒体を挿入、排出する音響機器のパネルスライド方法において、
音響機器に近づけられた記録媒体のタイプを識別し、
該タイプに応じた媒体挿入／排出口が露出するまで前面パネルをスライドさせる、
ことを特徴とするパネルスライド方法。
【請求項２】
前記音響機器に近づけられた記録媒体のイメージを検出するイメージ取得手段を設け、
該イメージ取得手段で取得した記録媒体のイメージに基づいて記録媒体のタイプを識別する、
ことを特徴とする請求項１記載のパネルスライド方法。
【請求項３】
記録媒体に該媒体のタイプを特定する情報が記録されたタグを設け、
該タグに記録されているタイプ情報を読み取って記録媒体のタイプを識別する、
ことを特徴とする請求項１記載のパネルスライド方法。
【請求項４】
前記イメージ取得手段を音響機器前面に設けた、
ことを特徴とする請求項３記載のパネルスライド方法。
【請求項５】
音響機器は2以上のタイプの記録媒体に応じた媒体挿入／排出口を備える、
ことを特徴とする請求項1乃至３記載のパネルスライド方法。
【請求項６】
前記記録媒体のタイプは、CDやDVDの円形ディスクタイプ、四角形ケースに挿入されたミニディスクタイプ、半導体メモリタイプ、
であることを特徴とする請求項1乃至３記載のパネルスライド方法。
【請求項７】
前記識別したタイプの記録媒体が音響機器に挿入されているかチェックし、
挿入されていなければ発光手段を第1の色で発光させ、記録媒体が音響機器に挿入されていれば第2の色で発光させ、かつ記録媒体を排出する、
ことを特徴とする請求項1乃至３記載のパネルスライド方法。
【請求項８】
前記発光手段は前記色で媒体挿入／排出口をイルミネートする、
ことを特徴とする請求項７記載のパネルスライド方法。
【請求項９】
記録媒体が再生位置にセットされたとき、前記前面パネルをスライドさせて全閉状態にする、
ことを特徴とする請求項1乃至３記載のパネルスライド方法。
【請求項１０】
前面パネルをスライドさせて媒体挿入／排出口を露出させて記録媒体を挿入、排出する音響機器のパネルスライド方法において、
音響機器に近づけられた記録媒体のタイプを識別し、
前面パネルをスライドして全開すると共に、前記識別したタイプに応じた媒体挿入／排出口を発光手段により指示する、
ことを特徴とするパネルスライド方法。
【請求項１１】
前記音響機器に近づけられた記録媒体のイメージを検出するイメージ取得手段を設け、
該イメージ取得手段で取得した記録媒体のイメージに基づいて記録媒体のタイプを識別する、
ことを特徴とする請求項１０記載のパネルスライド方法。
【請求項１２】
記録媒体に該媒体のタイプを特定する情報が記録されたタグを設け、
該タグに記録されているタイプ情報を読み取って記録媒体のタイプを識別する、
ことを特徴とする請求項１０記載のパネルスライド方法。
【請求項１３】
前記イメージ取得手段を音響機器前面に設けた、
ことを特徴とする請求項１１記載のパネルスライド方法。
【請求項１４】
音響機器は2以上のタイプの記録媒体に応じた媒体挿入／排出口を備える、
ことを特徴とする請求項1０乃至１２記載のパネルスライド方法。
【請求項１５】
前記記録媒体のタイプは、CDやDVDの円形ディスクタイプ、四角形ケースに挿入されたミニディスクタイプ、半導体メモリタイプ、
であることを特徴とする請求項1０乃至１２記載のパネルスライド方法。
【請求項１６】
前記識別したタイプの記録媒体が音響機器に挿入されているかチェックし、
挿入されていなければ前記発光手段を第1の色で発光させ、記録媒体が音響機器に挿入されていれば第2の色で発光させ、かつ記録媒体を排出する、
ことを特徴とする請求項1０乃至１２記載のパネルスライド方法。
【請求項１７】
前記発光手段は前記色で媒体挿入／排出口をイルミネートする、
ことを特徴とする請求項１６記載のパネルスライド方法。
【請求項１８】
記録媒体が再生位置にセットされたとき、前記前面パネルをスライドさせて全閉状態にする、
ことを特徴とする請求項1０乃至１２記載のパネルスライド方法。
【請求項１９】
前面パネルをスライドさせて媒体挿入／排出口を露出させて記録媒体を挿入、排出する音響機器において、
記録媒体のタイプに応じて設けられた媒体挿入／排出口、
音響機器に近づけられた記録媒体のイメージを検出するイメージ取得手段、
該イメージ取得手段で取得した記録媒体のイメージに基づいて記録媒体のタイプを識別する手段、
該タイプに応じた媒体挿入／排出口が露出するまで前面パネルをスライドさせるパネルスライド手段、
を備えたことを特徴とする音響機器。
【請求項２０】
前面パネルをスライドさせて媒体挿入／排出口を露出させて記録媒体を挿入、排出する音響機器において、
記録媒体のタイプに応じて設けられた媒体挿入／排出口、
記録媒体に設けられたタグより記録媒体のタイプを特定する情報を読み取るタグ読取手段、
該記録媒体のタイプに応じた媒体挿入／排出口が露出するまで前面パネルをスライドさせるパネルスライド手段、
を備えたことを特徴とする音響機器。
【請求項２１】
記録媒体を挿入／排出する媒体挿入／排出手段、
記録媒体が再生位置にセットされたことを検出する手段を備え、
前記パネルスライド手段は記録媒体が再生位置にセットされたとき、前記前面パネルをスライドさせて全閉状態にする、
ことを特徴とする請求項１9または２０記載の音響機器。
【請求項２２】
前記イメージ取得手段を音響機器前面に設けた、
ことを特徴とする請求項１9記載の音響機器。
【請求項２３】
音響機器は2以上のタイプの記録媒体に応じた媒体挿入／排出口を備える、
ことを特徴とする請求項１9または２０記載の音響機器。
【請求項２４】
前記記録媒体のタイプは、CDやDVDのディスクタイプ、四角形ケースに挿入されたミニディスクタイプ、半導体メモリタイプ、
であることを特徴とする請求項１9または２０記載のパネルスライド方法。
【請求項２５】
前記識別したタイプの記録媒体が音響機器に挿入されているか識別する手段、
挿入されていなければ第1の色で発光し、記録媒体が音響機器に挿入されていれば第2の色で発光する発光手段、
を備え、前記媒体挿入／排出手段は、記録媒体が音響機器に挿入されていれば該記録媒体を排出する、
ことを特徴とする請求項２１記載の音響機器。
【請求項２６】
前記発光手段は前記色で媒体挿入／排出口をイルミネートする、
ことを特徴とする請求項２５記載の音響機器。
【請求項２７】
前面パネルをスライドさせて媒体挿入／排出口を露出させて記録媒体を挿入、排出する音響機器において、
記録媒体のタイプに応じて設けられた媒体挿入／排出口、
音響機器に近づけられた記録媒体のイメージを検出するイメージ取得手段、
該イメージ取得手段で取得した記録媒体のイメージに基づいて記録媒体のタイプを識別する手段、
音響機器に記録媒体が近づけられた時、前記前面パネルを全開位置までスライドさせるパネルスライド手段、
前記識別したタイプに応じた媒体挿入／排出口を発光することにより指示する発光手段、
を備えたことを特徴とする音響機器。
【請求項２８】
前面パネルをスライドさせて媒体挿入／排出口を露出させて記録媒体を挿入、排出する音響機器において、
記録媒体のタイプに応じて設けられた媒体挿入／排出口、
記録媒体に設けられたタグより記録媒体のタイプを特定する情報を読み取るタグ読取手段、
音響機器に記録媒体が近づけられた時、前記前面パネルを全開位置までスライドさせるパネルスライド手段、
前記識別したタイプに応じた媒体挿入／排出口を発光することにより指示する発光手段、
を備えたことを特徴とする音響機器。
【請求項２９】
記録媒体を挿入／排出する媒体挿入／排出手段、
記録媒体が再生位置にセットされたことを検出する手段を備え、
前記パネルスライド手段は記録媒体が再生位置にセットされたとき、前記前面パネルをスライドさせて全閉状態にする、
ことを特徴とする請求項２７または２８記載の音響機器。
【請求項３０】
音響機器は2以上のタイプの記録媒体に応じた媒体挿入／排出口を備える、
ことを特徴とする請求項２７または２８記載の音響機器。
【請求項３１】
前記識別したタイプの記録媒体が音響機器に挿入されているか識別する手段、
を備え、挿入されていなければ前記発光手段は第1の色で発光し、記録媒体が音響機器に挿入されていれば第2の色で発光し、前記媒体挿入／排出手段は、記録媒体が音響機器に挿入されていれば該記録媒体を排出する、
ことを特徴とする請求項２９記載の音響機器。
【請求項３２】
前記発光手段は前記色で媒体挿入／排出口をイルミネートする、
ことを特徴とする請求項３１記載の音響機器。
【発明の詳細な説明】
【技術分野】
【０００１】
本発明は音響機器およびパネルスライド方法に係わり、特に、前面パネルをスライドさせて媒体挿入／排出口を露出させて媒体を挿入、排出する音響機器および該音響機器におけるパネルスライド方法に関する。
【背景技術】
【０００２】
現状、情報が記録された記録媒体をディスプレイ一体型音響機器に挿入するには、エジェクトボタンを操作することにより、ディスプレイや操作部を前面に備えたパネルをスライドさせて媒体挿入／排出口を露出させ、該媒体挿入／排出口から記録媒体を挿入するようにしている(第1従来技術)。
また、媒体のタイプ(CD又はDVD、ミニディスク等)に応じて2つ以上の媒体挿入／排出口を有する音響機器では、CDエジェクトキーの操作によりCD挿入／排出口までパネルを半開し、ミニディスクエジェクトキーの操作によりでミニディスク挿入／排出口までパネルを全開するものがある(第2従来技術)。
【０００３】
また、従来技術として図１３に示すようにカセット3をVTR(ビデオテープレコーダ) １に近づけた時、自動的にパネル２を移動させて媒体挿入／排出口５を露出させてカセットを挿入できるようにしたVTRがある(特許文献1参照)。すなわち、VTR １の前面に上下にスライドし、かつ表面に表示部および操作部を備えたパネル２とカセット検出部４が設けられており、カセット3を近づけるとカセット検出手段４が該カセットの接近を検出する。パネル２は、カセット３が接近すると図示しないカセットスライド制御手段の制御で下方（A矢印方向）にスライドし、媒体挿入／排出口５が露出し、新たなカセット３を挿入できるようになる。なお、カセット６がVTRに挿入されていれば(B)に示すように該カセットを排出する(第3従来技術)。
【特許文献１】特開平６−２５９８５２号公報
【発明の開示】
【発明が解決しようとする課題】
【０００４】
第1の従来技術では、記録媒体挿入までの操作として、(1)エジェクトキー操作→(2)パネル全開待ち→(3)全開後の対象記録媒体挿入口探し→(4)記録媒体挿入/未挿入状態確認→(5)記録媒体挿入のステップを必要とし、短時間に記録媒体を挿入することができない。
また、第2の従来技術では、記録媒体挿入までの操作として、(1)記録媒体に応じたエジェクトキー探し→(2)エジェクトキー操作→(3)パネル半開／全開待ち→(4)記録媒体挿入/未挿入状態確認→ (5)記録媒体挿入のステップを必要とし、第1の従来技術と同様に短時間に記録媒体を挿入することができない。
また、第３従来技術は、カセット接近を検出して自動的にパネルを移動させるもので、キー操作が不要で短時間に記録媒体を挿入することができる利点があるが、1つの記録媒体（カセット）にしか対応できない問題がある。すなわち、複数の媒体挿入／排出口を備えた音響機器に第3従来技術を適用すると、媒体のタイプを検出できないため、結局全開することになり、(1)パネル全開待ち→(2)全開後の対象記録媒体挿入口探し→(3)記録媒体挿入/未挿入状態確認→(４)記録媒体挿入のステップを必要とし、短時間に記録媒体を挿入することができない。
以上から本発明の第1の目的は、キー操作が不要で、しかも、ユーザが挿入したい記録媒体のタイプに応じた媒体挿入／排出口が露出するまで自動的にパネルを開けるようにすることである。
本発明の第2の目的は、記録媒体が挿入されているか否か、並びに媒体挿入／排出口を容易に認識でき、記録媒体を円滑に挿入できるようにすることである。
本発明の第３の目的は、キー操作が不要で、しかも、ユーザが挿入したい記録媒体のタイプに応じた媒体挿入／排出口を容易に認識でき、記録媒体を円滑に挿入できるようにすることである。
【課題を解決するための手段】
【０００５】
上記第１の課題は本発明によれば、前面パネルをスライドさせて媒体挿入／排出口を露出させて記録媒体を挿入、排出する音響機器のパネルスライド方法において、音響機器に近づけられた記録媒体のタイプを識別し、該タイプに応じた媒体挿入／排出口が露出するまで前面パネルをスライドさせるパネルスライド方法により達成される。
記録媒体のタイプを識別する第1の方法では、前記音響機器に近づけられた記録媒体のイメージを検出するイメージ取得手段を設け、該イメージ取得手段で取得した記録媒体のイメージに基づいて記録媒体のタイプを識別する。
記録媒体のタイプを識別する第２の方法では、記録媒体に該媒体のタイプを特定する情報が記録されたタグを設け、該タグに記録されているタイプ情報を読み取って記録媒体のタイプを識別する。
上記第2の課題は、本発明によれば、前記識別したタイプの記録媒体が音響機器に挿入されているかチェックし、挿入されていなければ発光手段を第1の色で発光させ、記録媒体が音響機器に挿入されていれば第2の色で発光させ、かつ記録媒体を排出することにより達成される。この場合、前記発光手段は前記色で媒体挿入／排出口をイルミネートする。
上記第３の課題は、本発明によれば、音響機器に近づけられた記録媒体のタイプを識別し、前面パネルをスライドして全開すると共に、前記識別したタイプに応じた媒体挿入／排出口を発光手段により指示することにより達成される。
【０００６】
又、上記第1の課題は本発明によれば、前面パネルをスライドさせて媒体挿入／排出口を露出させて記録媒体を挿入、排出する音響機器において、記録媒体のタイプに応じて設けられた媒体挿入／排出口、音響機器に近づけられた記録媒体のイメージを検出するイメージ取得手段、該イメージ取得手段で取得した記録媒体のイメージに基づいて記録媒体のタイプを識別する手段、該タイプに応じた媒体挿入／排出口が露出するまで前面パネルをスライドさせるパネルスライド手段、を備えた音響機器により達成される。
また、上記第1の課題は本発明によれば、前面パネルをスライドさせて媒体挿入／排出口を露出させて記録媒体を挿入、排出する音響機器において、記録媒体のタイプに応じて設けられた媒体挿入／排出口、記録媒体に設けられたタグより該記録媒体のタイプを特定する情報を読み取るタグ読取手段、該記録媒体のタイプに応じた媒体挿入／排出口が露出するまで前面パネルをスライドさせるパネルスライド手段、を備えた音響機器により達成される。
上記第2の課題は、前記識別したタイプの記録媒体が音響機器に挿入されているか識別する手段、挿入されていなければ第1の色で発光し、記録媒体が音響機器に挿入されていれば第2の色で発光する発光手段を備えた音響機器により達成される。
上記第３の課題は、記録媒体のタイプに応じて設けられた媒体挿入／排出口、音響機器に近づけられた記録媒体のイメージを検出するイメージ取得手段、該イメージ取得手段で取得した記録媒体のイメージに基づいて記録媒体のタイプを識別する手段、音響機器に記録媒体が近づけられた時、前記前面パネルを全開位置までスライドさせるパネルスライド手段、前記識別したタイプに応じた媒体挿入／排出口を発光することにより指示する発光手段、を備えた音響機器により達成される。
また、上記第３の課題は、記録媒体のタイプに応じて設けられた媒体挿入／排出口、記録媒体に設けられたタグより記録媒体のタイプを特定する情報を読み取るタグ読取手段、音響機器に記録媒体が近づけられた時、前記前面パネルを全開位置までスライドさせるパネルスライド手段、前記識別したタイプに応じた媒体挿入／排出口を発光することにより指示する発光手段、を備えた音響機器により達成される。
【発明の効果】
【０００７】
本発明によれば、音響機器に近づけられた記録媒体のタイプを識別し、該タイプに応じた媒体挿入／排出口が露出するまで前面パネルをスライドさせるように構成したから、キー操作が不要で、しかも、ユーザが挿入したい記録媒体のタイプに応じた媒体挿入／排出口が露出するまで自動的にパネルを開けることができる。
また、本発明によれば、記録媒体が音響機器に挿入されているかチェックし、挿入されていなければ発光手段を第1の色で発光させ、記録媒体が音響機器に挿入されていれば第2の色で発光させ、かつ記録媒体を排出するように構成したから、記録媒体が挿入されているか否か、並びに記録媒体の媒体挿入／排出口を容易に認識でき、記録媒体を円滑に挿入することができる。
また、本発明によれば、音響機器に記録媒体が近づけられた時、該記録媒体のタイプを識別し、前面パネルをスライドして全開すると共に、前記識別したタイプに応じた媒体挿入／排出口を発光手段により指示するように構成したから、キー操作が不要で、しかも、容易に媒体を所定の媒体挿入／排出口より挿入することができる。
【発明を実施するための最良の形態】
【０００８】
図１は本発明の実施形態の概略説明図である。
音響機器１１はCDあるいはDVD、ミニディスク、メモリスティックなどのICメモリに記録されている情報を再生して出力できるようになっている。音響機器１１の前面にはパネル１２がスライド可能に設けられ、このパネル１２の表面には操作キーや表示器を有する操作部１３及びイメージ取得センサー１４が設けられている。イメージ取得センサー１４は音響機器前方の所定空間１５を検出範囲とし、音響機器１１に近づけられた記録媒体（CDあるいはDVD、ミニディスク、メモリスティックなどのICメモリ）のイメージを検出するもので、取得したイメージを画像処理することにより近づけられた記録媒体のタイプを識別することができる。すなわち、CDあるいはDVDは円形ディスク形状、ミニディスクは四角形状、メモリスティックは小型で薄型長方形状を有し、かつ、それぞれ所定のサイズを有しているため、イメージ取得センサー１４で取得したイメージを画像処理することにより近づけられた記録媒体のタイプを識別できる。パネル１２に隠れて見えないが、音響機器１１にはCDあるいはDVDを挿入、排出するためのディスク挿入／排出口、ミニディスクを挿入、排出するミニディスク挿入／排出口、メモリスティックを挿入、排出するメモリ挿入／排出口が設けられている。
【０００９】
図１（Ａ）に示すように、円形ディスク形状を有するCDあるいはDVD２１を近づけると、音響機器１１は挿入しようとしている記録媒体が円形ディスクであると認識し、パネル１２をディスク挿入／排出口１６が露出する位置までスライドする。かかる状態でCDあるいはDVDをディスク挿入／排出口１６より挿入して再生位置にセットすれば、音響機器１１はパネル12を駆動して全閉状態にし、操作、表示を可能にする。
また、図１（Ｂ）に示すように、ミニディスク２２を近づけると、音響機器１１は挿入しようとしている記録媒体が四角形状媒体(ミニディスク)であると認識し、パネル１２をミニディスク挿入／排出口１７が露出する位置までスライドする。かかる状態でミニディスクをディスク挿入／排出口１７より挿入して再生位置にセットすれば、音響機器１１はパネル１２を駆動して全閉状態にし、操作、表示を可能にする。
同様に図１（Ｃ）に示すように、メモリスティック２３を近づけると、音響機器１１は挿入しようとしている記録媒体が小型長方形媒体(メモリスティック)であると認識し、パネル１２をメモリ挿入／排出口１８が露出する位置までスライドする(全開状態)。かかる状態でメモリスティックをメモリ挿入／排出口１８より挿入して再生位置にセットすれば、音響機器１１はパネル１２を駆動して全閉状態にし、操作、表示を可能にする。
以上、音響機器に近づけられた記録媒体のタイプを識別し、該タイプに応じた媒体挿入／排出口が露出するまで前面パネルをスライドさせるようにしたから、キー操作が不要で、しかも、ユーザが挿入したい記録媒体のタイプに応じた媒体挿入／排出口が露出するまで自動的にパネルを開けることができる。
【実施例１】
【００１０】
図２は第1実施例の音響機器の構成図である。イメージ取得センサー１４は、音響機器に近づけられた記録媒体のイメージを取得し、媒体識別部３１は該イメージを画像処理することにより近づけられた記録媒体の形状(円形ディスク媒体、四角形媒体、小型長方形媒体)を判別し、該記録媒体のタイプ（CDあるいはDVD、ミニディスク、メモリスティックなどのICメモリ）を識別し、制御部３２に入力する。制御部３２は近づけられた記録媒体のタイプに基づいてパネル開閉駆動部３３を制御して該タイプの記録媒体を挿入する媒体挿入／排出口が露出するまでパネル(ノーズ)１２をスライドさせる(図１参照)。
【００１１】
媒体有無検出部３４はそれぞれの媒体挿入／排出口１６〜１８から媒体が再生位置にセット済みであるか検出し、媒体有無検出信号MDS1~MDS3を制御部３２に入力する。制御部３２は媒体有無検出信号を参照して近づけられた記録媒体と同一タイプの記録媒体がセットされていなければ、ＬＥＤ点灯部３５を制御して、該タイプの媒体挿入／排出口１６〜１８に設けられたLED３６〜３８を第1の色(青)で発光させ、記録媒体がセットされていれば第2の色(赤)で発光させる。これにより、ユーザは媒体がセット済みであるか、否かを識別できる。又、制御部３２は近づけられた記録媒体と同一タイプの記録媒体が挿入されていると、媒体挿入／排出駆動部３９を制御して媒体挿入／排出機構部４０を駆動して該挿入されている媒体を排出する。
媒体挿入検出部４１は円形ディスク(CD、DVD)及びミニディスクが媒体挿入／排出口１６〜１７から押し込まれたことを検出して制御部３２に挿入検出信号ISD１〜ISD2を入力する。制御部３２は、挿入検出信号ISD１〜ISD2に基づいて押し込まれた記録媒体(円形ディスク又はミニディスク)を、媒体挿入／排出駆動部３９を制御して再生位置にセットする。なお、メモリスティックは押し込むことにより再生位置にセットされる。
【００１２】
図３は本発明の音響機器の表面図およびパネルクローズ状態、パネル半開状態、パネル全開状態の斜視図である。（Ａ）に示すように音響機１の表面パネル１２には表示器１３ａや各種操作キー、ボタン類１３ｂ、イメージ取得センサー１４が設けられている。（B）はパネルクローズ状態を示し、（C）はパネル12をスライドさせて円形ディスクの媒体挿入／排出口１６を露出させた状態を示している。LED３６は媒体挿入／排出口１６の近傍に設けられ、媒体が挿入されているか否かを、点灯色（青、赤）を変えて表示する。（D）はパネル全開状態を示している。LED３７，３８は媒体挿入／排出口１７，１８の近傍に設けられ、対応する媒体が挿入されているか否かを、点灯色を変えて表示する。
図４はLED３６〜３８の別の例で、媒体挿入／排出口１６〜１８を囲むようにLEDを配置し、点灯色で媒体が挿入されているか否かを表示すると共に、媒体挿入／排出口の周りをイルミネートして暗くても該媒体挿入／排出口の位置が容易に識別できるようにしている。
【００１３】
図５はイメージ取得センサー１４(図２参照)の概略説明図であり、米国特許番号US 6,515,740において提案されているものである。光源５１はLEDまたはレーザダイオードで構成され、駆動部５２から発生する周波数200MHzの駆動信号により励起され、該周波数のエネルギー(cosωｔ)を有する光を、レンズ５３を介して対象物体５４に向けて発生する。対象物体５４の表面各ポイントで反射した光エネルギーはレンズ５５を介してセンサーアレイ５６の各ピクセル検出器５６ａ〜５６ｎに合焦し、各ピクセル検出器５６ａ〜５６ｎは対象物体５４の表面各ポイントまでの距離を測定する。三次元イメージ生成部５７は各ピクセル検出器５６ａ〜５６ｎにより検出された対象物体５４の表面各ポイントまでの距離を用いて三次元イメージを取得して出力する。媒体識別部３１(図２)は三次元イメージ生成部５７から出力する三次元イメージを画像処理して近づけられた記録媒体のタイプを識別する。
【００１４】
各ピクセル検出器５６ａ〜５６ｎにおいて、フォトセンサー６１は、合焦した光エネルギーに応じた電気信号を発生する。この電気信号は光源５１が発射したcosωｔの光エネルギーに対して距離に応じた位相差φを有するＡ・(cosωｔ＋φ)で表わせる。アンプ６２はフォトセンサー６１の出力信号を増幅し、復調部６３はフォトセンサー６１の出力信号Ａ・(cosωｔ＋φ)に光源の光エネルギーcosωｔを乗算して、直流分Ａ・cosφを含む信号を出力する。ローパスフィル６４は該直流分Ａ・cosφを抽出し、位相差検出部６５はローパスフィルタ出力を積分して位相差φを検出して出力する。この位相差φは光源から対象物体５４までの距離Zに応じた位相差であり、距離Ｚは次式
Ｚ＝φC／２ω＝φC／４πｆ
により算出することができる。なお、Ｃは光速度である。
【００１５】
図６および図７は本発明のパネル開閉制御の処理フローである。
挿入すべく記録媒体が音響機器１１に近づけられると媒体識別部３１は該記録媒体の種別(タイプ)が検出して制御部３２に入力する(ステップ１０１，１０２)。制御部３２は記録媒体が円形ディスクであるか判別し(ステップ１０３)、円形ディスクであれば、パネル開閉駆動部３３を制御してパネル１２をスライドさせ、円形ディスクの媒体挿入／排出口1６からCD、ＤＶＤを挿入／排出できる位置まで半開する(ステップ１０４、図１（Ａ），図３(Ｃ)、図４（Ｃ）参照)。
ついで、制御部３２は、媒体挿入／排出口1６より再生位置にディスクがセットされているか媒体有無検出信号MDS1を参照してチェックし(ステップ１０５)、セットされていなければLED３６を青色で点滅させる(ステップ１０６)。一方、セットされていればLED３６を赤色で点滅させると共に、媒体挿入／排出駆動部３９を制御してセットされている媒体を媒体挿入／排出口1６から排出し(ステップ１０７)、排出後にLED３６を青色で点滅する(ステップ１０６)。
【００１６】
ついで、制御部３２は、挿入検出信号IDS1を参照して新たな記録媒体(CD、ＤＶＤ)が挿入されたかチェックし(ステップ１０８)、挿入されたなら媒体挿入／排出駆動部３９を制御して該記録媒体を再生位置にセットする(ステップ１０９〜１１０)。
記録媒体の再生位置へのセットが完了すれば、制御部３２はパネル開閉駆動部３３を制御してパネル１２を閉方向にスライドさせて全閉状態にすると(図3、図4参照)共に、LED３６を消灯する(ステップ１１１)。
【００１７】
ステップ１０３で記録媒体が円形ディスクでなければ、四角形状のミニディスクであるか小型長方形のメモリスティックであるかチェックする(ステップ１１２，１１３)。いずれでもなければ、誤認識であると判断し(ステップ１１４)、ステップ１０１以降の処理を繰返す。一方、ミニディスクであれば、ステップ２０１以降の処理を行い、メモリスティックであれば、ステップ３０１以降の処理を繰返す。
すなわち、音響機器に近づけられた記録媒体がミニディスクであれば、制御部３２はパネル開閉駆動部３３を制御してパネル１２をスライドさせ、媒体挿入／排出口1７からミニディスクを挿入／排出できる位置まで半開する(ステップ２０１、図１（Ｂ）)。
【００１８】
ついで、制御部３２は、媒体挿入／排出口1７より再生位置にミニディスクがセットされているか媒体有無検出信号MDS2を参照してチェックし(ステップ２０２)、セットされていなければLED３７を青色で点滅させる(ステップ２０３)。一方、セットされていればLED ３７を赤色で点滅させると共に、媒体挿入／排出駆動部３９を制御してセットされている媒体(ミニディスク)を媒体挿入／排出口１７から排出し(ステップ２０４)、排出後にLED３７を青色で点滅させる(ステップ２０３)。
ついで、制御部３２は、挿入検出信号IDS2を参照して新たな記録媒体(ミニディスク)が挿入されたかチェックし(ステップ２０５)、挿入されたなら媒体挿入／排出駆動部３９を制御して該記録媒体を再生位置にセットする(ステップ２０６〜２０７)。
記録媒体の再生位置へのセットが完了すれば、制御部３２はパネル開閉駆動部３３を制御してパネル１２を閉方向にスライドさせて全閉状態にすると共に、LED３７を消灯する(ステップ２０８)。
【００１９】
一方、音響機器に近づけられた記録媒体がメモリスティックであれば、制御部３２はパネル開閉駆動部３３を制御してパネル１２をスライドさせ、媒体挿入／排出口1８からメモリスティックを挿入／排出できる位置まで全開する(ステップ３０１、図１（Ｃ）)。
ついで、制御部３２は、媒体挿入／排出口1８より再生位置にミニディスクがセットされているか媒体有無検出信号MDS3を参照してチェックし(ステップ３０２)、セットされていなければLED３８を青色で点滅させる(ステップ３０３)。一方、セットされていればLED ３８を赤色で点滅させると共に、媒体挿入／排出駆動部３９を制御してセットされている媒体(メモリスティック)を媒体挿入／排出口１８から排出し(ステップ３０４)、排出後にLED３８を青色で点滅させる(ステップ３０３)。
【００２０】
ついで、制御部３２は、新たな記録媒体(ミニディスク)が再生位置に押し込まれたチェックし(ステップ３０５)、再生位置にセットされたならパネル開閉駆動部３３を制御してパネル１２を閉方向にスライドさせて全閉状態にすると共に、LED３８を消灯する(ステップ３０６)。
以上第1実施例によれば、音響機器に近づけられた記録媒体のタイプを識別し、該タイプに応じた媒体挿入／排出口が露出するまで前面パネルをスライドさせるようにしたから、キー操作が不要で、しかも、ユーザが挿入したい記録媒体のタイプに応じた媒体挿入／排出口が露出するまで自動的にパネルを開けることができる。
【実施例２】
【００２１】
図８は第２実施例の音響機器の構成図であり、図２の第１実施例と同一部分には同一符号を付している。第１実施例と異なる点は、記録媒体のタイプ(種別)を識別する方法である。第2実施例では、各記録媒体（CD、DVD、ミニディスク、メモリスティックなどのICメモリ）２１〜２３に埋め込まれ、あるいは貼り付けられている無線ICタグ７１〜７３に書込まれているタグ情報を無線タグ読取装置７４で読み取り、媒体識別部７５が該タグ情報より記録媒体のタイプを識別して制御部３２に入力する。なお、無線タグ読取装置７４は音響機器のパネル１２の表面上部、あるいは下部に取付けられる。
【００２２】
図９は無線ICタグ及び無線タグ読取装置の説明図である。
無線タグ読取装置７４は、無線ＩＣタグ７１から送信された変調波を受信する受信アンテナ８１、受信した変調波から不要成分を除去するアンテナ入力回路８２、受信データ信号を増幅する増幅回路８３、増幅された受信データを復調する復調回路８４、外部へ送信するためのコマンドやデータに変調を施す変調回路８５、変調データ信号を増幅する出力回路８６、変調波を外部の空間へ放射する送信アンテナ８７、媒体識別部７５と接続されたインターフェイス回路８８と、これらの回路を制御するための制御回路８９で構成されている。
無線ICタグ７１は、無線タグ読取装置７４から送信された変調波を受信したり外部へ変調波を放射する送受信アンテナ９１、受信した変調波から内部回路へ供給するための電源を生成する電源生成回路９２、送受信アンテナ９１で受信した変調波を復調する復調回路９３、外部へ送信するためのデータを変調する変調回路９４、制御プログラムやタグ情報が記憶されている不揮発性メモリ９５、これらの回路を制御する制御回路９６で構成されている。
【００２３】
無線タグ読取装置７４はアンテナ８７より送信データで変調した無線信号（電磁波）を無線ICタグ７１に送信する。無線ICタグ７１のアンテナ９１は受信信号を電源生成部９２と復調回路９３に入力する。電源生成部９２は無線信号を直流電圧に変換して変復調回路９３，９４と制御回路９６に供給し、電源として動作する。復調回路９３は無線タグ読取装置７４から送られてきた制御データを復調し、制御回路９６に入力する。制御回路９６は該制御データ(コマンド)に応じた処理を行ない、例えば不揮発性メモリ９５に記憶されているタグ情報を読み取って変調回路９４に入力する。変調回路９４は制御回路９６から入力された情報を用いて搬送波を変調して無線でアンテナ９１から無線タグ読取装置７４に送信する。無線タグ読取装置７４は受信信号よりタグ情報を復調してインターフェース回路を介して媒体識別部７５に入力する。
第２実施例は記録媒体に無線ICタグが埋め込まれ、あるいは貼り付けられている場合に該記録媒体の種別を識別する際に使用して好適である。尚、記録媒体のタイプを識別して後の制御は第1実施例と同じである。
【実施例３】
【００２４】
図１０（Ａ）,(Ｂ)は第３実施例の説明図で、パネルを全開した斜視図で、それぞれ図３（D）,図４（D）と同じパネルの全開状態を示している。
第１実施例では近づけられた記録媒体のタイプを識別し、該タイプに応じた媒体挿入／排出口が現れる位置までパネルをスライドしたが、第3実施例では記録媒体が音響機器に近づけられた時、該記録媒体のタイプに関係なく図１０（Ａ）,(Ｂ)に示すように、パネル１２を全開し、近づけられた記録媒体のタイプに応じた媒体挿入／排出口１６〜１８をLED３６〜３８で発光、指示する。
図１０（Ａ）において、LED３６〜３８は媒体挿入／排出口１６〜１８の近傍に設けられ、近づけられた記録媒体と同一タイプの媒体が媒体挿入／排出口１６〜１８に挿入されていれば赤色で発光し、挿入されていなければ青色で発光する。また、図１０（Ｂ）において、LED３６〜３８は媒体挿入／排出口１６〜１８を囲むように配置され、点灯色で媒体が挿入されているか否かを表示すると共に、媒体挿入／排出口の周りをイルミネートして暗くても該媒体挿入／排出口の位置が容易に識別できるようにしている。
図１１、図１２は第3実施例におけるパネル開閉制御の処理フローであり、図６、図７の第１実施例と同一ステップには同じステップ番号を付している。異なる点は、第１実施例におけるステップ１０４，２０１，３０１を削除し、記録媒体識別後に(ステップ１０２)、パネルを全開し(ステップ４０１)、ついで、記録媒体がCD又はDVD、ミニディスク、メモリスティックかに応じてそれぞれステップ１０５，２０２，３０２以降の処理を行う点である。なお、第３実施例における記録媒体識別は、第１実施例の方法で識別しても良いし、第２実施例の方法で識別しても良い。
【図面の簡単な説明】
【００２５】
【図１】本発明の実施形態の概略説明図である。
【図２】第1実施例の音響機器の構成図である。
【図３】本発明の音響機器の表面図およびパネルクローズ状態、パネル半開状態、パネル全開状態の斜視図である。
【図４】本発明の音響機器の表面図およびパネルクローズ状態、パネル半開状態、パネル全開状態の斜視図であり、媒体挿入／排出口をLEDで囲むように配置した場合である。
【図５】イメージ取得センサーの概略説明図である。
【図６】本発明のパネル開閉制御の処理フロー（その１）である。
【図７】本発明のパネル開閉制御の処理フロー（その２）である。
【図８】第２実施例の音響機器の構成図である。
【図９】無線ICタグ及び無線タグ読取装置の説明図である。
【図１０】第３実施例の説明図で、パネルを全開した斜視図である。
【図１１】第3実施例におけるパネル開閉制御の処理フロー（その１）である。
【図１２】第3実施例におけるパネル開閉制御の処理フロー（その２）である。
【図１３】従来技術の説明図である。
【符号の説明】
【００２６】
１１  音響機器
１２  パネル
１３  操作部
１４  イメージ取得センサー
１５  イメージ取得センサーの検出範囲
１６  ディスク挿入／排出口
１７  ミニディスク挿入／排出口
１８  メモリスティック挿入／排出口
２１  CD，DVD
２２  ミニディスク
２３  メモリスティック
【図１】
2005276382.tif 000003
【図２】
2005276382.tif 000004
【図３】
2005276382.tif 000005
【図４】
2005276382.tif 000006
【図５】
2005276382.tif 000007
【図６】
2005276382.tif 000008
【図７】
2005276382.tif 000009
【図８】
2005276382.tif 000010
【図９】
2005276382.tif 000011
【図１０】
2005276382.tif 000012
【図１１】
2005276382.tif 000013
【図１２】
2005276382.tif 000014
【図１３】
2005276382.tif 000015